(57)【要約】      （修正有）【課題】プロダクト仕様に関するニュートラルデータを生成する改良された装置を提供する。【解決手段】装置は、プロダクト仕様を構成し提供するステップと、バリアントモデリングによる複数のプロダクトモデルデータを提供するデータベースからの、複数の異なるプロダクト仕様に関するプロダクトモデルデータを、隔離されたプロダクトモデルデータに隔離するステップと、プロダクトモデルデータの複数のデータ処理プロセスを、統合されたデータ処理プロセスへ統合するステップと、構成されたプロダクト仕様に基づいて、統合されたデータ処理プロセスによりセマンティサイズされたプロダクトモデルデータをプロダクト仕様のニュートラルデータに変換するステップと、を備える。【選択図】図３
2020077419.tif 000002
【特許請求の範囲】
【請求項１】
プロダクト仕様に関するニュートラルデータを生成する方法において、前記方法は、コンピュータネットワークにおいて実行され、前記方法は、
前記プロダクト仕様を構成し、提供するステップ（Ｓ１）と、
データベースからの複数の異なるプロダクト仕様に関するプロダクトモデルデータを、隔離されたプロダクトモデルデータへ隔離するステップであって、前記データベースは、バリアントモデリングにより複数のプロダクトモデルを提供する、セマンタイズするステップ（Ｓ２）と、
前記プロダクトモデルデータのデータ処理プロセスを統合されたデータ処理プロセスへ統合するステップ（Ｓ３）と、
前記構成されたプロダクト仕様に基づいて、前記統合されたデータ処理プロセスを用いて前記隔離されたモデルデータを、前記プロダクト仕様の前記ニュートラルデータへ変換するステップ（Ｓ４）と、
を備えた、プロダクト仕様に関するニュートラルデータを生成する方法。
【請求項２】
前記方法は、前記コンピュータネットワークにおける分散処理により実行される、請求項１の方法。
【請求項３】
前記プロダクト仕様は、少なくとも、
１）顧客固有のプロダクト仕様、および／または
２）ストックプロダクト仕様および／または
３）新しいプロダクト仕様の少なくとも１つである、請求項１または２に記載の方法。
【請求項４】
前記プロダクト仕様を構成し、提供するステップ（Ｓ１）は、ウェブコンフィギュレータ、ウェブショップ、シミュレーションシステム、エンタープライズリソースプランニングシステム、プロダクションコントロールシステム、またはアセンブリ補助マシンにより実行される、請求項１乃至３のいずれか一項に記載の方法。
【請求項５】
前記プロダクトモデルデータは、エンティティリレーションシップモデルに基づいて複数の異なるプロダクト仕様に関して隔離される、請求項１乃至３のいずれか一項に記載の方法。
【請求項６】
前記バリアントモデリングは、ウェブベースおよび／またはインタラクティブプロダクトコンフィギュレータにより提供される、請求項１乃至４のいずれか一項に記載の方法。
【請求項７】
前記ニュートラルデータは、ニュートラルデータフォーマットで提供され、前記ニュートラルデータフォーマットは、
１）ＸＭＬ形式および／または
２）プラットフォームに依存しないデータ形式および／または
３）インプリメンテーションに依存しないデータ形式および／または
４）Ｍ２Ｍデータ形式
である、請求項１乃至６のいずれか一項に記載の方法。
【請求項８】
前記データ処理プロセスを統合するために、プロダクションプラントの前記データ処理サービスおよび／または前記コンピュータおよび／または前記コンピュータネットワークのバックエンドシステムが統合される、請求項１乃至７のいずれか一項に記載の方法。
【請求項９】
コンピュータネットワークにおいてニュートラルデータを生成する装置において、
プロダクト仕様を構成し提供するように適合されたコンフィギュレーションモジュール（１０）と、
前記コンピュータネットワークに結合されたデータベースから、複数の異なるプロダクト仕様に関するプロダクトモデルデータをセマンティサイズされたプロダクトモデルデータにセマンティサイズするように適合されたセマンティックモジュール（２０）であって、前記データベースは、バリアントモデリングにより生成された複数のプロダクトモデルデータを備える、セマンティックモジュール（２０）と、
前記プロダクトモデルデータのデータ処理プロセスを統合されたデータ処理プロセスに統合するように適合されたオーケストレーションモジュール（３０）と、
前記構成されたプロダクト仕様に基づいて、前記統合されたデータ処理プロセスにより、前記プロダクト仕様の前記ニュートラルデータにセマンティサイズされたプロダクトモデルデータを、変換するように適合された変換モジュール（４０）と、
を備えた、コンピュータネットワークにおいてニュートラルデータを生成する装置。
【請求項１０】
前記装置は、分散コンピュータネットワークとして形成される、請求項９に記載の装置。
【請求項１１】
前記コンフィギュレーションモジュール（１０）は、プロダクト仕様として、
１）顧客固有のプロダクト仕様および／または
２）ストックプロダクト仕様および／または
３）あたらしいプロダクト仕様を変換するように適合される、請求項９または１０に記載の装置。
【請求項１２】
前記コンフィギュレーションモジュール（１０）は、ウェブコンフィギュレータ、ウェブショップ、シミュレーションシステム、エンタープライズリソースプランニングシステム、プロダクションコントロールシステム、またはアセンブリ補助マシンにより前記プロダクト仕様の構成と提供を実行するように適合される、請求項９乃至１１のいずれか一項に記載の装置。
【請求項１３】
前記セマンティックモジュール（２０）は、エンティティリレーションシップモデルに基づいて前記複数の異なるプロダクト仕様に関する前記プロダクトモデルデータをセマンティサイズするように適合される、請求項９乃至１２のいずれか一項に記載の装置。
【請求項１４】
前記装置は、ニュートラルデータフォーマットで前記ニュートラルデータを提供するように適合され、前記ニュートラルデータフォーマットは、
（１）ＸＭＬ形式および／または
（２）プラットフォームに依存しないデータ形式および／または
（３）インプリメンテーションに依存しないデータ形式および／または
（４）Ｍ２Ｍデータ形式を備える、請求項９乃至１３のいずれか一項に記載の装置。
【請求項１５】
前記バリアントモデリングにより前記複数のプロダクトモデルデータを生成するように適合された、ウェブベースおよび／またはインタラクティブプロダクトコンフィギュレータを有するデータベースを、さらに備える、請求項９乃至１４のいずれか一項に記載のコンピュータネットワーク。
【発明の詳細な説明】
【技術分野】
【０００１】
この発明は、標準化されたデータ生成プロセスによるデータ生成のためのシステム、およびコンピュータ支援製造のための対応するデータ生成手順に関する。特に、この発明は、プロダクト仕様に関するニュートラルデータを生成する装置および方法に関する。
【背景技術】
【０００２】
プロダクトデータは、製品調達、製造および流通の分野の会社に利用可能である。
広範のデータの可用性とデータ変換を連続して実施することは困難である。
【発明の概要】
【０００３】
この発明の目的は、プロダクト仕様に関するニュートラルデータを生成する改良された装置および方法を提供することである。この目的は、独立特許クレームの主題により解決される。さらなる実施形態は、従属特許クレーム、明細書の記載および図面に見出すことができる。
【０００４】
この発明の第１の態様は、プロダクト仕様に関するニュートラルデータを生成する方法に関し、この方法は、以下のステップを備える。第１のプロセスステップとして、プロダクト仕様が、構成され利用可能になる。第２のプロセスステップとして、多数の異なるプロダクト仕様に関する製品モデルデータが、データベースから隔離された（semantized）プロダクトモデルデータに隔離され、それにより、データベースは、バリアントモデリング（variant modeling）を通じて多数のプロダクトモデルデータを提供する。第３のプロセスステップとして、プロダクトモデルデータのデータ処理プロセスは、統合されたデータ処理プロセスに統合される。第４のステップとして、隔離されたプロダクトモデルデータは、構成されたプロダクト仕様に基づいて、統合されたデータ処理プロセスにより、プロダクト仕様のニュートラルデータに変換される。
【０００５】
この発明は、コンフィギュレーション（configuration）からニュートラルデータの生成と提供を可能にし、ビジネスプロセスの処理に必要なすべての情報が、プロダクトプラントのための統合（orchestration）、新製品のカバー、既存の製品および顧客使用製品および製品バリアント（product variant）を介してデジタル的に導出することができる。
【０００６】
この発明は、例えば、製品プロダクトの製造、またはさらなるデータ処理の期間に、プロダクト仕様の異なる構成シナリオに適合して、かつ完全に自動的に適合して、反応する（react）ことが可能である。この発明の有利な実施形態は、従属クレームに見出すことができる。この発明の有利な実施形態において、コンピュータネットワークにおける分散処理によって手続が実行される、例えば、コンピュータネットワークは、分散および／または非集中的なコンピュータシステムとして設計されることを意図している。
【０００７】
この発明の有利な実施形態において、プロダクト仕様は、
１）顧客固有のプロダクト仕様、および／または
２）ストックプロダクト仕様、および／または
３）新製品仕様
の観点から使用される。
【０００８】
この発明の有利な実施形態において、プロダクト仕様の構成は、顧客固有のプロダクト仕様のためのウェブコンフィギュレータ（a web configurator）、ウェブショップ、シミュレーションシステム（simulation system）、企業リソースプランニングシステム（an enterprise resource planning system）、プロダクト制御システム、またはアセンブリ補助機械により実施されることを意図している。この発明の有利な実施形態において、プロダクトモデルデータは、エンティティ関係モデルに基づいて多数の異なるプロダクト仕様に対してセマンティファイされる（semantified）ことを意図する。この発明の有利な実施形態において、バリアントモデリングは、ウェブベースおよび／またはインタラクティブプロダクトコンフィギュレータにより提供されることを意図する。
【０００９】
この発明の有利な実施形態において、ニュートラルデータは、ニュートラルデータフォーマットで提供することを意図し、ニュートラルデータフォーマットは、
（１）ＸＭＬ形式および／または
（２）プラットフォームに依存しないデータ形式および／または
（３）インプリメンテーションに依存しないデータ形式および／または
（４）Ｍ２Ｍデータ形式である。
Ｍ２Ｍデータ形式は、使用されるそれぞれのデータ処理機器に、機械、処理および手続のためのニーズ固有の形式（a need-specific format）として適合することができる。
【００１０】
この発明で使用される用語「Ｍ２Ｍ」は「マシンツーマシン」を指し、端末装置の中の、または分散および／または非集中コンピュータシステムとしてコンピュータネットワークの中央計算装置、サーバ、を有したバックエンド機械、自動販売機、または製品機械のような端末装置間の情報の自動交換を定義する。この発明の有利な実施形態において、データ処理プロセスの統合のために、製品プラントおよび／またはコンピュータネットワークのバックエンドのデータ処理サービスが統合される。バックエンドシステムは、異なるデータ処理機器を備える。
【００１１】
この発明の第２の態様において、プロダクト仕様に関するニュートラルデータを生成する装置が提供され、この装置は、構成モジュール、セマンティックモジュール、オーケストレーションモジュール、および変換モジュールを備える。コンフィギュレーションモジュールは、プロダクト仕様を構成し、提供するように適合される。セマンティックモジュールは、複数の異なるプロダクト仕様に関するプロダクトモデルデータを、コンピュータネットワークに結合されたデータベースからのセマンティサイズされたプロダクトモデルデータに、セマンティサイズ（semanticize）する。データベースは、バリアントモデリングにより生成された複数のプロダクトモデルデータを備える。オーケストレーション（orchestration）モジュールは、プロダクトモデルデータのデータ処理プロセスを、統合されたデータ処理プロセスへ統合するように設計される。変換モジュールは、セマンティックプロダクトモデルデータを、構成されたプロダクト仕様に基づいて統合されたデータ処理プロセスを用いて、ニュートラルプロダクト仕様データに変換するように設計される。
【００１２】
この発明の有利な実行形態において、装置は、分散コンピュータネットワークとして設計されることが意図される。この発明の有利な実施形態において、コンフィギュレーションモジュールは、以下の観点から製品仕様として形成される。
１）顧客固有の製品仕様および／または
２）ストック製品仕様および／または
３）新製品仕様
が利用可能である。
【００１３】
この発明の有利な実施形態において、コンフィギュレーションモジュールは、ウェブコンフィギュレータ、ウェブショップ、シミュレーションシステム、企業リソースプランニングシステム、製品コントロールシステム、またはアセンブリ補助機械により製品仕様の製造と提供を実行するように適合されることが仮定される。この発明の有利な実施形態において、セマンティックモジュールは、エンティティ関係モデルに基づいて、複数の異なる製品仕様に関するプロダクトモデルデータを、セマンティサイズするように設計される。
【００１４】
この発明の有利な実施形態において、装置は、ニュートラルデータ形式で、ニュートラルデータを提供するように適合されることが仮定されれる。ここで、ニュートラルデータ形式は、以下を含む。
（１）ＸＭＬ形式および／または
（２）インプリメンテーションに依存しないデータ形式および／または
（３）Ｍ２Ｍデータ形式および／または
（４）Ｍ２Ｍデータ形式。
【００１５】
この発明の第３の態様において、この発明の第２の態様に従うプロダクト仕様に関するニュートラルデータを生成するための装置を備え、さらに、バリアントモデリングにより複数のプロダクトモデルデータを生成するように適合されたウェブベース、および／またはインタラクティブプロダクトコンフィギュレータ（interactive product configurator）を有するデータベースを備えたコンピュータネットワークシステムが提供される。
【００１６】
この発明の第４の態様において、プログラムがコンピュータにより実行されると、コンピュータに、この発明の第１の態様に従ってコンピュータネットワークに、ニュートラルデータを生成する方法のステップを実行させる命令を備えたコンピュータプログラムまたはコンピュータプログラムプロダクトが提供される。
【００１７】
この発明の第５の態様において、コンピュータにより実行されると、コンピュータに、この発明の第１の態様に従ってコンピュータネットワークにニュートラルデータを生成する方法のステップを実行させる命令を備えたコンピュータ読み取り可能（記憶）媒体が提供される。この発明の記載された実施形態およびインプリメンテーションは、任意に組み合わせることができる。
【００１８】
この発明のさらなる可能な実施形態とインプリメンテーションは、この発明の実施形態とインプリメンテーションに関して上で述べた、または以下に述べるこの発明の特徴の、明示していない組み合わせを含む。添付図面は、この発明のさらなる理解を伝えることを意図している。添付図面は、この発明が実施される実施形態およびインプリメンテーションのさらなる理解を伝えることを意図している。添付図面は、この発明の概念を説明するための記述に関連して機能する実施形態およびインプリメンテーションを説明する。他の形式の実施形態およびインプリメンテーション、および示された多くの利点は、添付図面から生じる。図に描画されたエレメントは必ずしも縮尺どおりではない。図において、同一の参照符号は、そうではないと示さない限り、同一の、または機能的に同一のエレメント、コンポーネント、パーツ、またはプロセスステップを指す。
【図面の簡単な説明】
【００１９】
【図１】図１は、この発明の一実施形態に従う製品仕様に関するニュートラルデータを生成する装置の概略図を示す。
【図２】図２は、この発明の一実施形態に従う、製品仕様に関するニュートラルデータを生成するプロセスのフロー図を示す。
【図３】図３は、この発明の一実施形態に従う、製品仕様に関するニュートラルデータを生成するプロセスのプロセスビジュアライゼーションを表す。
【発明を実施するための形態】
【００２０】
図１は、この発明の一実施形態に従うコンピュータネットワークにおいて、ニュートラルデータを生成する装置の概略図である。装置１００は、コンフィギュレーションモジュール１０、セマンティックモジュール２０、およびオーケストレーションモジュール３０、および変換モジュール４０を備える。コンフィギュレーションモジュール１０は、プロダクト仕様を構成し提供するように適合される。セマンティックモジュール２０は、複数の異なるプロダクト仕様を、コンピュータネットワークに結合されたデータベースからのセマンティサイズされたプロダクトモデルにセマンティサイズするように適合される。データベースは、複数のバリアントモデリングにより複数のプロダクトモデルデータを備える。
【００２１】
言い換えれば、セマンティックモジュール２０は、コンピュータネットワークの個々のコンピュータのキャプチャされた機能間のセマンティック関係を決定するように適合される。オーケストレーションモジュール３０は、オーケストレーションを実行し、プロダクトモデルデータの統合されたデータ処理プロセスを、統合されたデータ処理プロセスに統合するように適合される。情報モジュール４０は、隔離されたプロダクトモデルデータを、構成されたプロダクト仕様に基づいて、統合されたデータ処理プロセスにより、プロダクト仕様のニュートラルデータへ変換するように設計される。
【００２２】
図２は、この発明の一実施形態に従うプロダクト仕様に関するニュートラルデータを生成するプロセスのフロー図の概略図である。第１のプロセスステップとして、Ｓ１の構成およびプロダクト仕様の提供が実行される。第２の処理ステップとして、隔離されたプロダクトモデルデータを実行するために、データベースから多数の異なるプロダクト仕様に関するプロダクトモデルデータＳ２をセマンティサイズし、データベースは、バリアントモデリングを通じて、多数のプロダクトモデルデータを提供する。第３のプロセスステップとして、プロダクトモデルデータのデータ処理プロセスのＳ３を、統合されたデータ処理プロセスへ統合する。Ｓ３を統合することは、例えば、プロダクトモデルデータのデータ処理プロセスの機能の、柔軟な組み合わせの形態での統合を含む。第４のステップは、隔離されたプロダクトモデルデータを、構成されたプロダクト仕様に基づいてＳ４の統合されたデータ処理プロセスにより、プロダクト仕様のニュートラルデータへ変換することである。
【００２３】
図３は、この発明の実施形態に従ってプロダクト仕様に関するニュートラルデータを生成するプロセスの、プロセス視覚化の概略図である。図３に示す全体のプロセスは、右カラムのソフトウエアモジュールプロセスと、左カラムのオーケストレーションプロセスを備える。たとえば、オーケストレーションプロセスは、新しいセールスドキュメントが入手可能なときに、報告書が要求されるトリガメカニズム（trigger mechanism）を有することができる。たとえば、オーケストレーションプロセスは、構成されたプロダクトを有するセールスドキュメントであって、コンフィギュレーションがドキュメントのアイテムとして入手可能であるセールスドキュメントを作成するような、開始条件を有することができる。たとえば、オーケストレーションプロセスは、モニタリングプロセスとして設計可能であり、プロダクト仕様に関するニュートラルデータを生成するように設計可能である。
【００２４】
この発明は、好適例および実施形態を用いて上述したけれども、これに限らず、多くの方法で変形可能である。特に、この発明は、この発明のコアから逸脱することなく多くの方法で代替または変更可能である。さらに、「包括的（comprehensive）」および「有する（having）」は、任意の他のエレメントまたはステップを排除せず、「１つ（one）」または「１つ（one）」は任意の多様性（multiplicity）を排除しない。
【図３】
2020077419.tif 000003
【誤訳訂正書】
【提出日】令和2年1月16日(2020.1.16)
【誤訳訂正１】
【訂正対象書類名】図面
【訂正対象項目名】全図
【訂正方法】変更
【訂正の内容】
【図１】
2020077419.tif 000004
【図２】
2020077419.tif 000005
【図３】
2020077419.tif 000006
【外国語明細書】
2020077419000001.pdf